(57)【要約】【課題】撮像装置において、ビューファインダー使用ポジションに関わらずファインダーを効率的に冷却すること。【解決手段】ビューファインダー部のポジションを識別するための手段を有し、前記ビューファインダー部のポジションが第１〜第２の間の使用ポジションにあるときのみ、前記ビューファインダー部を使用可能と制御し、前記ビューファインダー部は内部にビューファインダーダクトが形成され、第１〜第２の間の使用ポジションにおいて前記ビューファインダーダクトと強制冷却ユニット間に空気流路が接続される。【選択図】図１３ａ
2019179947.tif 000002
【特許請求の範囲】
【請求項１】
本体部と、
本体部に配置された強制冷却ユニットと、
前記冷却ユニットと本体部外装部をつなぐ本体ダクトと、
ビューファインダー部とを有し、
前記ビューファインダー部が、使用時に用いる第１の使用ポジションと、前記第１の使用ポジションとは異なる位置の第２の使用ポジションと、未使用時に用いる未使用ポジションを有する撮像装置において、
前記ビューファインダー部のポジションを識別するための手段を有し、
前記ビューファインダー部のポジションが前記第１〜第２の間の使用ポジションにあるときのみ、前記ビューファインダー部を使用可能と制御し、
前記ビューファインダー部は内部にビューファインダーダクトが形成され、
前記第１〜第２の間の使用ポジションにおいて前記ビューファインダーダクトと前記強制冷却ユニット間に空気流路が接続されることを特徴とする撮像装置。
【請求項２】
前記第２の使用ポジションは、前記ファインダー部が本体部に対し跳ね上げ状態となり、前記ファインダー部のカバーの一部が可動部であり、前記第２のポジションで前記可動部が前記本体部と可動することにより面接触し、前記可動部の一部が可動することにより、前記ファインダー内部構造部と接触することを特徴とする請求項１に記載の撮像装置。
【請求項３】
前記ビューファインダー部は、強制冷却ユニットのための吸気口を有し、前記吸気口は、前記使用ポジションにおいて露出し、前記未使用ポジションにおいては露出しない位置に配置されていることを特徴とする請求項１又は請求項２に記載の撮像装置。
【請求項４】
前記ビューファインダー部が前記未使用ポジションにあるとき、前記ビューファインダー部が前記使用ポジションにあるときよりも、強制冷却ユニットの駆動を低回転で行うことを特徴とする請求項１乃至請求項３の何れか一項に記載の撮像装置。
【請求項５】
前記ビューファインダー部が前記第１の使用ポジションと、前記ビューファインダー部が第２の使用ポジションで、強制冷却ユニットの駆動モードを変更することを特徴とする請求項１乃至請求項４の何れか一項に記載の撮像装置。
【発明の詳細な説明】
【技術分野】
【０００１】
本発明は、引き出しおよび回動動作可能なビューファインダー部に対し、強制冷却機能を有する撮像装置に関する。
【背景技術】
【０００２】
従来、デジタルビデオカメラ等においては、液晶表示部に表示した画像を光学系によって拡大する構造のビューファインダーが使用されている。
【０００３】
近年、デジタルビデオカメラ等の撮像装置は撮影画像が高精細化しており、これに伴い、ビューファインダー部に表示される画像の大型化、高精細化も求められている。
【０００４】
しかし、ビューファインダーに用いられる液晶表示部のバックライトは高精細化や大型化に伴い消費電力が大きくなり、発熱量も増大する。また、液晶表示部を制御するためのドライバＩＣも、高精細化に伴い、駆動信号の周波数が高くなり、発熱量が増大する。
【０００５】
表示パネルは過度な熱が加わると画質が劣化するという問題がある。また、ドライバＩＣも、発熱により、過度に内部温度が上昇し、各素子温度が許容温度を超えると、素子の破壊や動作不良に至るおそれがある。
【０００６】
このため、ビューファインダー部の液晶表示部等の発熱源の熱を放熱し、表示パネルの画質劣化を防ぐ放熱構造が求められている。
【０００７】
そこで、ビューファインダー内の熱源となるドライバＩＣを有するファインダー基板の裏面に、放熱部材と放熱シート部材を配置し、熱伝導によって冷却する手段の提案がされている（特許文献１参照）。
【０００８】
また、従来から撮像装置本体の冷却の方法として、ファンを搭載し、熱源周辺にダクトによる空気流路を形成することで、強制空冷によって放熱を行う構造も提案されている。より高い冷却効果が見込めること等、熱伝導による冷却手段と比較して有利な点も多い（特許文献２参照）。
【先行技術文献】
【特許文献】
【０００９】
【特許文献１】特開２０１６−５４４２５号公報
【特許文献２】特許第４２６４５８３号公報
【発明の概要】
【発明が解決しようとする課題】
【００１０】
しかしながら、特許文献１のような熱伝導のみによる冷却機構は強制空冷による冷却機構と比較して、冷却効果が低いという課題があった。
【００１１】
また、特許文献２のような、冷却機構をビューファインダーに応用し、専用の強制空冷ファンを設ける構造とすると、基本的に固定ファインダーへの冷却となってしまい、引き出し式やチルト式、またその両方を備えたファインダーに対して冷却ができない、という課題があった。
【課題を解決するための手段】
【００１２】
上記の課題を解決するために、本発明に係る撮像装置は、
本体部と、本体部に配置された強制冷却ユニットと、前記冷却ユニットと本体部外装部をつなぐ本体ダクトと、ビューファインダー部とを有し、前記ビューファインダー部が、使用時に用いる第１の使用ポジションと、前記第一の使用ポジションとは異なる位置の第２の使用ポジションと、未使用時に用いる未使用ポジションを有する撮像装置において、前記ビューファインダー部のポジションを識別するための手段を有し、前記ビューファインダー部のポジションが前記第１〜第２の間の使用ポジションにあるときのみ、前記ビューファインダー部を使用可能と制御し、前記ビューファインダー部は内部にビューファインダーダクトが形成され、前記第１〜第２の間の使用ポジションにおいて前記ビューファインダーダクトと前記強制冷却ユニット間に空気流路が接続されることを特徴とする。
【００１３】
また、本発明に係る撮像装置は、
前記第２の使用ポジションは、前記ファインダー部が本体部に対し跳ね上げ状態となり、前記ファインダー部のカバーの一部が可動部であり、前記第２のポジションで前記可動部が前記本体部と可動することにより面接触し、前記可動部の一部が可動することにより、前記ファインダー内部構造部と接触することを特徴とする。
【発明の効果】
【００１４】
本発明によれば、製品の大型化や、消費電力の増加、コストの増大を最小限に抑えた上で、複数の作動位置でのビューファインダーの冷却を効果的に行う撮像装置が提供可能である。
【図面の簡単な説明】
【００１５】
【図１】撮像装置１００のブロック図
【図２】撮像装置１００の正面側から見た外観斜視図
【図３】撮像装置１００の背面側から見た外観斜視図
【図４】撮像装置１００の左側面側から見た外観斜視図
【図５】撮像装置１００の左側面側から見た外観斜視図
【図６ａ】撮像装置１００の上背面側から見た外観斜視図
【図６ｂ】撮像装置１００の底面側から見た外観斜視図
【図７ａ】撮像装置１００の上背面側から見た外観斜視図
【図７ｂ】撮像装置１００の底面側から見た外観斜視図
【図８】撮像装置のビューファインダー部３００近傍のみを表示した外観斜視図
【図９】撮像装置のビューファインダー部３００近傍のみを表示した分解斜視図
【図１０】ビューファインダー部３００の分解斜視図
【図１１ａ】ビューファインダー部３００の収納状態での周辺部のみを表示した斜視図
【図１１ｂ】図１１ａのＹ−Ｚ平面での断面斜視図
【図１２ａ】ビューファインダー部３００の引き出し状態での周辺部のみを表示した斜視図
【図１２ｂ】図１２ａのＹ−Ｚ平面での断面斜視図
【図１３ａ】ビューファインダー部３００のチルト状態での周辺部のみを表示した斜視図
【図１３ｂ】図１３ａのＹ−Ｚ平面での断面斜視図
【発明を実施するための形態】
【００１６】
以下、本発明を実施するための形態について、図面を参照しながら説明する。
【００１７】
＜第１の実施形態＞
本発明の好適な一実施形態について、撮像装置に本発明を適用し、図面を参照しながら詳細に説明する。
【００１８】
尚、本実施形態における撮像装置において、レンズマウント側から見た面（図２−Ｚ方向に向かって見た時、視認できる面）を正面、正面と対向する面を背面、正面から見て右側の面を右側面、正面から見て左側の面を左側面、正面から見て上側の面を天面、正面から見て下側の面を底面、と各々称する。
【００１９】
（ブロック図）
以下、本発明の実施形態を説明する。図１は、本発明の実施例１に関わる撮像装置１００の構成を示すブロック図である。
【００２０】
図１に示すように、撮像装置１００は、レンズユニット部１１０、本体操作部１２０、センサ部１２４、本体制御部２４０、記録メディア部１２９、ビューファインダー部３００、検知部２３０、強制空冷ユニット２２０、電源部１２６、本体表示部１６０、等からなる。
【００２１】
レンズユニット部１１０に入射した被写体光は、センサ部１２４の撮像素子に結像して光電変換される。
【００２２】
本体操作部１２０は、撮影者が操作行う、例えば後述するトリガースイッチ１３４や、電源スイッチ１３５、ズームスイッチ１３６が含まれる。本体操作部１２０が操作されると、その情報は本体制御部２４０へ伝達され、本体制御部２４０はこの操作情報を元に記録開始等の撮影制御を行う。
【００２３】
本体制御部２４０は、画像・音声情報の入出力、圧縮・変換等の画像処理、記録・再生等の録再処理等に代表される情報処理を行う。センサ部１２４から本体制御部２４０に画像情報が出力されると、本体制御部２４０は、この画像情報に対して画像処理等の情報処理を行う。撮影画像を記録する場合は、本体制御部２４０が記録メディア部１２９へ画像情報を伝達し、記録メディアに撮影画像を記録させる。
【００２４】
ビューファインダー部３００はファインダー制御部３２７、ファインダー液晶表示部３６０、ファインダー光学ユニット３３０等からなる。ファインダー制御部３２７は本体制御部２４０からの指示に基づき、ファインダー液晶表示部３６０に画像情報の表示指示を行う。ファインダー液晶表示部３６０に表示された画像はファインダー光学ユニット３３０によって拡大される。
【００２５】
検知部２３０は、撮影者がビューファインダー部３００に対して行った引き出し操作及び、収納操作を検知する。ビューファインダー部３００の引き出し、収納情報は、本体制御部２４０へ伝達され、本体制御部２４０はファインダー制御部３２７に対して、ファインダー液晶表示部３６０のオン／オフ指示を行う。ファインダー制御部３２７は、本体制御部２４０の指示に基づき、ファインダー液晶表示部３６０の電源をオン／オフさせる。
【００２６】
また本体制御部２４０は、ビューファインダー部３００の引き出し／収納情報を元に、強制空冷ユニット２２０の回転数の駆動制御を行う。
【００２７】
電源部１２６は電源端子部やバッテリ端子等が含まれる。ＤＣ端子では、外部電源ケーブルを介して外部電源より電力を得ることが可能である。また、バッテリ端子では、電源ユニットのバッテリより電力を得ることが可能である。電源部１２６で得られる電力は、本体制御部２４０へ電送され、本体制御部２４０により各駆動要素に適した電圧に電圧変換が行われた後、各駆動要素の電源として各駆動要素へ電送される。
【００２８】
（外観斜視図）
図２は、本発明の実施例に関わる撮像装置１００を正面側から見た斜視図であり、図３は図２に示す撮像装置１００を本体表示部１６０を開いた右背面側から見た斜視図である。また、図４は本発明の実施例に関わる撮像装置１００を左背面側から見た斜視図、図５は図４に外部バッテリ部１２７を取り付けた図である。
【００２９】
尚、本実施形態では、撮像装置として、レンズ一体型のカメラを例示するが、これに限定されない。
【００３０】
撮像装置１００は、正面側にはレンズユニット部１１０、背面側には撮影者が目を当てて覗き込むことにより撮影画像の確認を行うためのビューファインダー部３００が背面向きに配置される。
【００３１】
右側面側には、図３に示すように開閉可能で、ビューファインダー部３００と同様に撮影者が撮影画像の確認を行うための本体表示部１６０や、電源スイッチ１３５が配置されており、本体表示部１６０を開くと記録メディア蓋部１４１や本体操作部１２０が配置されている。記録メディア蓋部１４１を開口すると記録メディア部１２９が現れるが、図示は省略する。
【００３２】
左側面には、撮影者が保持するためのグリップ側カバー部１４０、グリップ側カバー部１４０には強制空冷に用いる排気口１５０が側面向きに形成されている。グリップ側カバー部１４０にはトリガースイッチ１３４が配置されている。さらに左側面背面側にはグリップ側蓋部１４２が配置されており、グリップ側蓋部１４２を取り外すと電源端子が現れるが、図示は省略する。
【００３３】
また、背面部には外部電源としての外部バッテリ部１２７が装着可能である。外部バッテリ部１２７を装着するとビューファインダー部３００を覗き込むことが困難になるため、ビューファインダー部３００を使用する際には引き出して使用する構造となっている。
【００３４】
図６ａ，ｂは本発明の実施例に関わる撮像装置１００のビューファインダー部３００を引き出した状態の斜視図、図７ａ，ｂは発明の実施例に関わる撮像装置１００のビューファインダー部３００を引き出し後跳ね上げた状態で見た斜視図である。ビューファインダー部３００を引き出した状態では、ファインダー吸気口部３１０が外観に露出する構造となっている。加えて、たとえば上方から覗き込むように持って撮影したい場合、図７ａ，ｂのようにビューファインダー部３００を引き出し状態からさらに上方向にチルトさせることも可能である。この状態においてもファインダー吸気口部３１０は外観に露出する構造となっている。また、ファインダー天面カバーユニット３４０は図６ａ，ｂではすべて露出しているが、図７ａ，ｂの状態では一部が隠れる構造となっている。
【００３５】
図８に本発明の撮像装置のビューファインダー部３００近傍のみを表示した斜視図、図９に図８の分解斜視図を示す。
【００３６】
ビューファインダー部３００は、本体側背面カバー１３１及び本体側トップカバー１３０に挟まれた位置に配置される。強制空冷ユニット２２０により、ビューファインダー部３００のファインダー吸気口部３１０から取り込まれた空気は、ファインダー内の熱を受け取りながら本体吸気側ダクトユニット２６０を介して強制空冷ユニット２２０に流入する。強制空冷ユニット２２０に取り込まれた空気は、本体排気側ダクトユニット２５０を通り、グリップ側カバー部１４０に形成された排気口１５０を通って外部に排出される。また、強制空冷ユニット２２０と本体排気側ダクトユニット２５０の間には本体排気側ダクトシール２５１が、強制空冷ユニット２２０と本体吸気側ダクトユニット２６０の間には本体吸気ファン側ダクトシール２６１が配置され、空気が内部に漏れることを防いでいる。このことにより、ゴミやチリ等が内部に流入することを防ぎ、レンズユニット部１１０やセンサ部１２４等の光学部を保護している。また、強制空冷ユニット２２０は主基板２１０等の本体側発熱部を冷やす冷却手段としても利用することが可能である。
【００３７】
図１０にビューファインダー部３００の分解斜視図を示す。
【００３８】
ビューファインダー部３００は、ファインダー光学ユニット３３０、ファインダー基板３２０、ファインダー液晶表示部３６０、ファインダーアイカップ部３７０、ファインダー天面カバーユニット３４０、ファインダー底面カバー部３９０、ファインダーヒンジ部３５０、ファインダーフレキ３２５、ファインダーカバー３０５等から構成される。
【００３９】
ファインダー基板３２０にからの信号によりファインダー液晶表示部３６０が作動し、ファインダー光学ユニット３３０を介してファインダーアイカップ部３７０側から撮影者が実際の映像を確認することが可能になっている。ファインダーヒンジ部３５０にはヒンジ回動部３５５があり、ファインダーの引き出し及びチルト動作が可能となっている。また、ファインダー液晶表示部３６０及びファインダー基板３２０はファインダーフレキ３２５を介して本体側と電気的に接続される。ファインダー基板３２０には放熱シート部３８０が配置される。また、詳細は後述するが、引き出し時及びチルト時はファインダー天面カバーユニット３４０、ファインダー底面カバー部３９０、ファインダーヒンジ部３５０及びファインダーカバー３０５によりダクト構造を構成しており、前記本体吸気側ダクトユニット２６０に接続される構成となっている。
【００４０】
図１１ａに本発明のビューファインダー部３００の収納状態での周辺部のみを表示した斜視図、図１１ｂに図１１ａのＹ−Ｚ平面での断面斜視図を示す。
【００４１】
また、図１２ａに本発明のビューファインダー部３００の引き出し状態での周辺部のみを表示した斜視図、図１２ｂに図１２ａのＹ−Ｚ平面での断面斜視図を、図１３ａに本発明のビューファインダー部３００のチルト状態での周辺部のみを表示した斜視図、図１３ｂに図１３ａのＹ−Ｚ平面での断面斜視図を示す。
【００４２】
図１１ａ，ｂに示す収納状態では、ビューファインダー部３００は本体側トップカバー１３０及び本体側背面カバー１３１の間に収納される。
【００４３】
ファインダー吸気口部３１０は外部に露出せず、また検知部２３０がＯＮしないためファインダー基板３２０及びファインダー液晶表示部３６０は動作しない。ファインダーフレキ３２５は折りたたまれて収納されている。
【００４４】
強制空冷ユニット２２０は動作していない、若しくは本体側の放熱にのみ利用される。
【００４５】
図１２ａ，ｂに示すように、ビューファインダー部３００の引き出し状態では、検知部２３０がＯＮし、ファインダー基板３２０及びファインダー液晶表示部３６０が動作状態となり、両者から熱が発生する。
【００４６】
ファインダーヒンジ部３５０に設けられたファインダー吸気口部３１０が外部に露出する。同時に強制空冷ユニット２２０が作動し、ファインダー吸気口部３１０から外気を取り込む。また引き出し状態で、本体吸気側ダクトユニット２６０と通じるファインダー排気口部３１５がファインダーヒンジ部３５０からファインダー通気部３１２に露出する。これによりファインダー吸気口部３１０⇒ファインダー通気部３１２⇒ファインダー排気口部３１５⇒本体吸気側ダクトユニット２６０⇒強制空冷ユニット２２０へと空気の流れが発生する。これにより外気がファインダー吸気口部３１０近傍にあるファインダー基板３２０及びファインダー液晶表示部３６０に直接、若しくは放熱フィン（図示せず）を介して外部空気との熱交換の形で放熱を行う。
【００４７】
また、ファインダー天面カバーユニット３４０が外部に露出するが、ファインダー基板３２０及びファインダー液晶表示部３６０の熱が直接伝わらない構造となっており、カバーを撮影者が触れても低温やけど等をしない構造となっている。
【００４８】
また、ファインダー天面カバーユニット３４０はファインダー天面ベース部３４２及びファインダー天面可動部３４１によって構成されている。ファインダー天面可動部３４１は、外観側の本体側接触面３４３及び内部側に内部側接触面３４４を持つ。ファインダー天面可動部３４１は弾性部材（図示せず）等により、可動回転軸部３４５を回転軸中心として常にファインダー通気部３１２をふさがないような方向に押さえられている。これにより引き出し時の外観面をフラットに保つことができ、デザイン上の美しさが確保できる。
【００４９】
図１３ａ，ｂに示すように、ビューファインダー部３００のチルト状態では、図１２ａ，ｂと同様、検知部２３０がＯＮし、ファインダー基板３２０及びファインダー液晶表示部３６０が動作状態となり、両者から熱が発生する。また、図１２の引き出し状態と同様に、ファインダー吸気口部３１０⇒ファインダー通気部３１２⇒ファインダー排気口部３１５⇒本体吸気側ダクトユニット２６０⇒強制空冷ユニット２２０へと空気の流れが発生するが、経路が複雑化する、ファインダー基板３２０への空気の通り道が減る等で空気への熱交換量は減る構成となる。
【００５０】
代わりにチルト状態では、ファインダー天面カバーユニット３４０のファインダー天面可動部３４１が可動回転軸部３４５を回転中心として回転し、ファインダー天面可動部３４１の内部側接触面３４４が放熱シート部３８０を介してファインダー基板３２０と接触し、他方外観側ではファインダー天面可動部３４１の本体側接触面３４３が本体側トップカバー１３０の一部と接触する。これによりファインダー基板３２０⇒ファインダー天面可動部３４１⇒本体側トップカバー１３０と熱伝導により放熱を行う。これによりチルトにより減少した放熱量を確保することができる。また、本体側接触面３４３は撮影者がチルト状態で触れられない箇所に設定されているため、低温やけど等をすることがない。本構成では放熱シート部３８０は基板側に張り付けられているが、内部側接触面３４４に張り付けてあっても問題ない。また、内部側接触面３４４の接触面積はファインダー通気部３１２の通気量によって適宜拡大／縮小が可能である。
【００５１】
また、前述したように、本体制御部２４０は強制空冷ユニット２２０の回転数の制御が可能である。本体制御部２４０は、ビューファインダー部３００が収納状態にあるとき強制空冷ユニット２２０を低い回転数で駆動、若しくは停止し、ビューファインダー部３００が引き出された状態、及びチルト状態にあるとき、強制空冷ユニット２２０を高い回転数で駆動することも可能である。また、引き出し状態とチルト状態で回転数を変更することも可能である。このため、撮像装置１００は、ビューファインダー部３００の使用状態により強制空冷ユニット２２０の回転数を適切な状態にすることにより、消費電力を低く抑えることが可能となる。
【００５２】
以上説明したように、本発明によれば、製品の大型化や、消費電力の増加、コストの増大を最小限に抑えた上で、複数の作動位置でのビューファインダーの冷却を効果的に行う撮像装置が提供可能である。
【符号の説明】
【００５３】
１００  撮像装置、１１０  レンズユニット部、１２０  本体操作部、
１２４  センサ部、１２６  電源部、１２７  外部バッテリ部、
１２９  記録メディア部、１３０  本体側トップカバー、１３１  本体側背面カバー、
１３４  トリガースイッチ、１３５  電源スイッチ、１３６  ズームスイッチ、
１４０  グリップ側カバー部、１４１  記録メディア蓋部、１４２  グリップ側蓋部、
１５０  排気口、１６０  本体表示部、２１０  主基板、２２０  強制空冷ユニット、
２３０  検知部、２４０  本体制御部、２５０  本体排気側ダクトユニット、
２５１  本体排気側ダクトシール、２５２  本体グリップ側ダクトシール、
２６０  本体吸気側ダクトユニット、２６１  本体吸気ファン側ダクトシール、
３００  ビューファインダー部、３０５  ファインダーカバー、
３１０  ファインダー吸気口部、３１２  ファインダー通気部、
３１５  ファインダー排気口部、３２０  ファインダー基板、
３２１  液晶用ドライバＩＣ、３２５  ファインダーフレキ、
３２７  ファインダ−制御部、３３０  ファインダー光学ユニット、
３４０  ファインダー天面カバーユニット、３４１  ファインダー天面可動部、
３４２  ファインダー天面ベース部、３４３  本体側接触面、３４４  内部側接触面、
３４５  可動回転軸部、３５０  ファインダーヒンジ部、３５５  ヒンジ回動部、
３６０  ファインダー液晶表示部、３７０  ファインダーアイカップ部、
３８０  放熱シート部、３９０  ファインダー底面カバー部
【図１】
2019179947.tif 000003
【図２】
2019179947.tif 000004
【図３】
2019179947.tif 000005
【図４】
2019179947.tif 000006
【図５】
2019179947.tif 000007
【図６ａ】
2019179947.tif 000008
【図６ｂ】
2019179947.tif 000009
【図７ａ】
2019179947.tif 000010
【図７ｂ】
2019179947.tif 000011
【図８】
2019179947.tif 000012
【図９】
2019179947.tif 000013
【図１０】
2019179947.tif 000014
【図１１ａ】
2019179947.tif 000015
【図１１ｂ】
2019179947.tif 000016
【図１２ａ】
2019179947.tif 000017
【図１２ｂ】
2019179947.tif 000018
【図１３ａ】
2019179947.tif 000019
【図１３ｂ】
2019179947.tif 000020